(57)【要約】【課題】照明部に対して回動可能な筐体部を照明部に容易に着脱することができ、かつ、筐体部の機能部を収容するための収容空間を確保し易くすることができるＬＥＤ照明装置を提供すること。【解決手段】直管状カバー部１１と、直管状カバー部１１の一端部に固定された第一口金部１２とを有する照明部１０と、機能部２０と、直管状カバー部１１の他端部を固定する一端側筒状固定部３１と、第二口金部１３を固定する他端側筒状固定部３２と、一端側筒状固定部３１と他端側筒状固定部３２との間を円弧状の横断面をなして連接する中間連接部３３と、有する回動ガイド部３０と、回動ガイド部３０に対して円弧状断面部４１を支持部分として所定の回動位置で取り付け固定される回動支持部４１と、回動支持部４１と連結固定可能に、機能部２０の収容空間を回動ガイド部３０の軸中心から径外方向にさらに拡大させた収容空間拡大形成部４２と、を有する筐体部４０と、を有する。【選択図】図１
2020087848.tif 000002
【特許請求の範囲】
【請求項１】
ＬＥＤが内部に配置され、該ＬＥＤの光を外部に出射する光透過性の部分を含む直管状カバー部と、直管状蛍光灯の一方のソケットから電源供給可能に接続されるように前記直管状カバー部の一端部に固定された第一口金部と、を有する照明部と、
前記照明部を介して電源が供給される機能部と、
一端側に前記直管状カバー部の他端部を内部に嵌め込み固定する部分となる一端側筒状固定部と、他端側に直管状蛍光灯の他方のソケットに接続される第二口金部を内部に嵌め込み固定する部分となる他端側筒状固定部と、前記一端側筒状固定部と前記他端側筒状固定部との間を天井側領域を残すように円筒の一部に切欠き部を形成した円弧状の横断面をなして連接する中間連接部と、有する回動ガイド部と、
前記回動ガイド部の天井側領域の外周面に沿う円弧状断面部を有し、前記回動ガイド部に対して前記円弧状断面部を支持部分として所定の回動位置で前記外周面に取り付け固定される回動支持部と、該回動支持部と連結固定可能に、あるいは、一体的に、前記中間連接部の内面側に前記切欠き部を含む前記機能部の収容空間を前記回動ガイド部の軸中心から径外方向にさらに拡大させた収容空間拡大形成部と、を有する筐体部と、
を有することを特徴とするＬＥＤ照明装置。
【請求項２】
前記筐体部は、
前記回動支持部と前記収容空間拡大形成部とが連結固定される構成の場合、前記収容空間拡大形成部が、前記機能部による外部情報検出側の面以外の面を絶縁脂材からなる壁で形成され、かつ、絶縁樹材からなる両側壁の少なくとも一方の側壁の内面に無線通信用のアンテナが配置されており、
前記回動支持部が、金属薄板材からなり、前記収容空間拡大形成部との連結固定完了状態では、前記収容空間拡大形成部の前記両側壁の外面を覆うように前記円弧状断面部の両端が延在しており、前記アンテナに対応した位置に電波を通し易くするための電波通過用開口部が形成されている
ことを特徴とする請求項１に記載のＬＥＤ照明装置。
【請求項３】
前記回動ガイド部は、
内面に前記一端側筒状固定部から間の前記中間連接部を通した前記他端側筒状固定部まで直線状に設けられ、かつ、一端面が前記直管状カバー部の端部の突き当て面となり、他端面が前記第二口金部の突き当て部分となる補強リブ
を有することを特徴とする請求項１または２に記載のＬＥＤ照明装置。
【請求項４】
前記筐体部は、
前記円弧状断面部にネジを挿通するためのネジ挿通孔が形成されおり、
前記補強リブは、
前記回動ガイド部の周方向に間隔を空けて複数箇所に設けられており、かつ、前記ネジに対応したネジ穴が前記中間連接部の外周面側から形成されており、
前記筐体部は、
前記ネジを前記ネジ挿通孔に通しつつ前記ネジ穴に固定することによって、前記回動ガイド部の軸を中心とて回動させた複数の角度に変化させて前記回動ガイド部に固定する
ことを特徴とする請求項３に記載のＬＥＤ照明装置。
【請求項５】
前記筐体部は、
内部に収容される前記機能部が光透過性部材を通して外部情報を検出することができるものである場合、前記機能部による外部情報の検出側の面に別体の光透過性部材からなる光透過性壁部を有する
ことを特徴とする請求項１、２、３、または４に記載のＬＥＤ照明装置。
【発明の詳細な説明】
【技術分野】
【０００１】
本発明は、直管状蛍光灯のソケットに取り付けられるＬＥＤ照明装置に関する。
【背景技術】
【０００２】
従来、直管型の蛍光管を有する蛍光灯、いわゆる直管状蛍光灯は、省電力化の流れから光源となるＬＥＤ（Ｌｉｇｈｔ  Ｅｍｉｔｔｉｎｇ  Ｄｉｏｄｅ）を光透過部分を含む直管状カバーの内部に設けたＬＥＤ照明装置に置き換えるようになってきている。
このようなＬＥＤ照明装置は、電源を交流電源から直流電源に変換するとともに電気配線を変更することによってＬＥＤへの電源供給を可能にしている。
しかも、ＬＥＤ照明装置は、直流電源から給電可能となったことにより、センサー、カメラ等の機能部を容易に組み込むことができるようになった。
【０００３】
例えば、特許文献１には、蛍光灯器具（直管状蛍光灯）のソケットに接続する照明部の一端側の接続部に、外側収容部と、外側収容部の内側において照明部の周方向に回動可能に設けられ、内部に機能部としての撮像部あるいは検出部が設けられた内側収容部と、を有するＬＥＤ照明が記載されている。
この特許文献１に記載のＬＥＤ照明は、内側収容部を外側収容部内で回動させることによって、撮像部による撮影方向、あるいは、検出部による検出位置を変化させるようにしている。
また、特許文献１に記載のＬＥＤ照明は、照明部に接続した外側収容部に対して内側収容部を容易に着脱することができるようになっているので、結果的に、機能部を内部に収容した内側収容部を照明部に容易に着脱することができる構造になっている。
【先行技術文献】
【特許文献】
【０００４】
【特許文献１】特開２０１４−１１０１８１号公報
【発明の概要】
【発明が解決しようとする課題】
【０００５】
しかしながら、特許文献１に記載のＬＥＤ照明は、円筒状の外側収容部、および、円筒状の内側収容部を有する２重の収容構造となっており、内側収容部を収容する外側収容部が内側収容部の回動をガイドする部分として機能するようになっている。
このため、機能部を収容するための収容空間を形成する内側収容部が外側収容部の収容空間の大きさに比して小さく制約され、収容空間を大きく確保することが難しくなり、結果的に、収容できる機能部も限定される問題がある。
【０００６】
この問題を解消するために、特許文献１に記載されたＬＥＤ照明は、外側収容部の直径を大きく設定し、それに対応して内側収容部の直径を大きく設定することによって内側収容部の収容空間を大きくすることができるが、外側収容部および内側収容部が照明部の軸に対して、天井側領域も含めた外径方向全周にわたって照明部の外径よりも大きく外径を拡大することになるため、取付け先の天井側領域のカバー等に干渉し易くなり、既存のソケット位置を利用して取り付けることが難しくなってしまう問題があった。
【０００７】
本発明は、上記に鑑みてなされたものであって、照明部に対して回動可能な筐体部を照明部に容易に着脱することができ、かつ、筐体部の機能部を収容するための収容空間を確保し易くすることができるＬＥＤ照明装置を提供することを目的とする。
【課題を解決するための手段】
【０００８】
上述した課題を解決し、目的を達成するために、本発明に係るＬＥＤ照明装置は、ＬＥＤが内部に配置され、該ＬＥＤの光を外部に出射する光透過性の部分を含む直管状カバー部と、直管状蛍光灯の一方のソケットから電源供給可能に接続されるように前記直管状カバー部の一端部に固定された第一口金部と、を有する照明部と、前記照明部を介して電源が供給される機能部と、一端側に前記直管状カバー部の他端部を内部に嵌め込み固定する部分となる一端側筒状固定部と、他端側に直管状蛍光灯の他方のソケットに接続される第二口金部を内部に嵌め込み固定する部分となる他端側筒状固定部と、前記一端側筒状固定部と前記他端側筒状固定部との間を天井側領域を残すように円筒の一部に切欠き部を形成した円弧状の横断面をなして連接する中間連接部と、有する回動ガイド部と、前記回動ガイド部の天井側領域の外周面に沿う円弧状断面部を有し、前記回動ガイド部に対して前記円弧状断面部を支持部分として所定の回動位置で前記外周面に取り付け固定される回動支持部と、該回動支持部と連結固定可能に、あるいは、一体的に、前記中間連接部の内面側に前記切欠き部を含む前記機能部の収容空間を前記回動ガイド部の軸中心から径外方向にさらに拡大させた収容空間拡大形成部と、を有する筐体部と、を有することを特徴とする。
【０００９】
また、本発明に係るＬＥＤ照明装置は、上記の発明において、前記筐体部が、前記回動支持部と前記収容空間拡大形成部とが連結固定される構成の場合、前記収容空間拡大形成部が、前記機能部による外部情報検出側の面以外の面を絶縁脂材からなる壁で形成され、かつ、絶縁樹材からなる両側壁の少なくとも一方の側壁の内面に無線通信用のアンテナが配置されており、前記回動支持部が、金属薄板材からなり、前記収容空間拡大形成部との連結固定完了状態では、前記収容空間拡大形成部の前記両側壁の外面を覆うように前記円弧状断面部の両端が延在しており、前記アンテナに対応した位置に電波を通し易くするための電波通過用開口部が形成されていることを特徴とする。
【００１０】
また、本発明に係るＬＥＤ照明装置は、上記の発明において、前記回動ガイド部が、内面に前記一端側筒状固定部から間の前記中間連接部を通した前記他端側筒状固定部まで直線状に設けられ、かつ、一端面が前記直管状カバー部の端部の突き当て面となり、他端面が前記第二口金部の突き当て部分となる補強リブを有することを特徴とする。
【００１１】
また、本発明に係るＬＥＤ照明装置は、上記の発明において、前記筐体部が、前記円弧状断面部にネジを挿通するためのネジ挿通孔が形成されおり、前記補強リブは、前記回動ガイド部の周方向に間隔を空けて複数箇所に設けられており、かつ、前記ネジに対応したネジ穴が前記中間連接部の外周面側から形成されており、前記筐体部が、前記ネジを前記ネジ挿通孔に通しつつ前記ネジ穴に固定することによって、前記回動ガイド部の軸を中心とて回動させた複数の角度に変化させて前記回動ガイド部に固定することを特徴とする。
【００１２】
また、本発明に係るＬＥＤ照明装置は、上記の発明において、前記筐体部が、内部に収容される前記機能部が光透過性部材を通して外部情報を検出することができるものである場合、前記機能部による外部情報の検出側の面に別体の光透過性部材からなる光透過性壁部を有することを特徴とする。
【発明の効果】
【００１３】
本発明に係るＬＥＤ照明装置は、前記筐体部が前記回動ガイド部の天井側領域の外周面に前記回動ガイド部に対して前記円弧状断面部を支持部分として所定の回動位置で取り付け固定できるようになっている。
また、本発明に係るＬＥＤ照明装置は、前記筐体部が、前記回動支持部が前記回動ガイド部の天井側領域の外周面に沿うことによって、前記回動ガイド部の軸を中心として回動可能に支持され、前記中間連接部の内面側に前記切欠き部を含む前記機能部の収容空間を前記回動ガイド部の軸中心から径外方向にさらに拡大させるようになっているので、天井側領域に寸法が拡大することを抑えることができるようになっている。
従いまして、本発明に係るＬＥＤ照明装置は、照明部に対して回動可能な筐体部を照明部に容易に着脱することができ、かつ、筐体部の機能部を収容するための収容空間を確保し易くすることができる。
【図面の簡単な説明】
【００１４】
【図１】図１は、（ａ）が、本発明の実施例に係るＬＥＤ照明装置の側面図であり、（ｂ）が、本発明の実施例に係るＬＥＤ照明装置の斜視図である。
【図２】図２は、（ａ）が、回動ガイド部の斜視図であり、（ｂ）が、（ａ）に示した回動ガイド部のＡ−Ａ線断面図である。
【図３】図３は、一端に直管状カバー部が固定され、他端に第二口金部が固定された状態の回動ガイド部の断面図である。
【図４】図４は、（ａ）が、筐体部の斜視図であり、（ｂ）が、筐体部を直管状カバー部が固定される側から視た図である。
【図５】図５は、（ａ）が、機能部が組み込まれた状態の筐体部の斜視図であり、（ｂ）が、（ａ）に示した筐体部内のカメラモジュール周辺部分を拡大した図である。
【図６】図６は、光透過性壁部を除いた筐体部の分解斜視図である。
【図７】図７は、筐体部の収容空間拡大形成部を構成する樹脂製壁部および光透過性壁部と、筐体部内に収容される機能部と、を示した分解斜視図である。
【図８】図８は、筐体部内に第一および第二回路基板が固定される構造を説明するための図である。
【図９】図９は、筐体部が回動ガイド部の軸を中心として回動されることによって角度を変化させて固定することができることを説明するための図である。
【図１０】図１０は、変形例の筐体部を説明するための図であり、筐体部を簡略的に示した斜視図である。
【発明を実施するための形態】
【００１５】
以下、図面を参照して、本発明に係るＬＥＤ照明装置の好適な実施例を詳細に説明する。
【実施例】
【００１６】
図１は、（ａ）が、本発明の実施例に係るＬＥＤ照明装置１の側面図であり、（ｂ）が、本発明の実施例に係るＬＥＤ照明装置１の斜視図である。図２は、（ａ）が、回動ガイド部３０の斜視図であり、（ｂ）が、（ａ）に示した回動ガイド部３０のＡ−Ａ線断面図である。図３は、一端に直管状カバー部１１が固定され、他端に第二口金部１３が固定された状態の回動ガイド部３０の断面図である。図４は、（ａ）が、筐体部４０の斜視図であり、（ｂ）が、筐体部４０を直管状カバー部１１が固定される側から視た図である。図５は、（ａ）が、機能部２０が組み込まれた状態の筐体部４０の斜視図であり、（ｂ）が、（ａ）に示した筐体部４０内のカメラモジュール２３周辺部分を拡大した図である。図６は、光透過性壁部４４を除いた筐体部４０の分解斜視図である。図７は、筐体部４０の収容空間拡大形成部４２を構成する樹脂製壁部４３および光透過性壁部４４と、筐体部４０内に収容される機能部２０と、を示した分解斜視図である。図８は、筐体部４０内に第一および第二回路基板２１、２２が固定される構造を説明するための図である。図９は、筐体部４０が回動ガイド部３０の軸を中心として回動されることによって角度を変化させて固定することができることを説明するための図である。
本発明の実施例に係るＬＥＤ照明装置は、例えば、電車の天井付近に設置された既存の直管型の蛍光管を有する蛍光灯、いわゆる直管状蛍光灯の２つのソケットに取り付けられるものである。
【００１７】
ＬＥＤ照明装置１は、ＬＥＤの光を出射する照明部分である照明部１０と、カメラ機能を有する機能部２０と、回動ガイド部３０と、機能部２０が収容される部分であり、回動ガイド部３０の軸を中心として回動角度を変化させた位置で回動ガイド部３０に固定される筐体部４０と、を有する。
【００１８】
まず、照明部１０について説明する。
照明部１０は、ＬＥＤが内部に配置され、ＬＥＤの光を外部に出射する光透過性の部分を含む直管状カバー部１１と、直管状蛍光灯の一方のソケットから電源供給可能に接続されるように直管状カバー部１１の一端部に固定された第一口金部１２と、を有する
【００１９】
直管状カバー部１１は、直管状のガラス部材の外周面をＰＥＴ（ｐｏｌｙｅｔｈｙｌｅｎｅ  ｔｅｒｅｐｈｔｈａｌａｔｅ）等の飛散防止フィルムで覆った光透過性の直管状部分である。
なお、直管状カバー部１１は、ガラス部材に限らず、ＬＥＤの光を外部に出射する光透過性の部分を含む部材であれば、ポリカーボネート等のその他の材質からなるものであっても構わない。
【００２０】
この直管状カバー部１１は、内部に不図示の複数のＬＥＤが実装された不図示のＬＥＤ回路基板と、直管状蛍光灯の一方のソケットから供給された交流電圧（例えば、ＡＣ１００Ｖ〜２００Ｖ）を、所定の直流電圧に変換する回路がボックス内に形成された不図示の電源制御回路部が収容されている。
【００２１】
電源制御回路部は、第一口金部１２およびＬＥＤ回路基板に電気的に接続され、さらに、不図示のコネクタを介して機能部２０に電気的に接続可能になっている。
この電源制御回路部は、第一口金部１２から供給された電源を、複数のＬＥＤへの所定の直流電圧、および、機能部２０への所定の直流電圧（例えば、ＤＣ５Ｖ）に変換して供給するものである。
電源制御回路部は、例えば、機能部２０のコネクタに接続されるコネクタが電線を介して直管状カバー部１１の外に引き出し可能になっている。
【００２２】
第一口金部１２は、直管状蛍光灯の一方のソケットに接続されるようになっている。この第一口金部１２は、直管状カバー部１１の一端部に固定される部分となる筒状部１２ａと、電気接続部分となるピン１２ｂと、を有し、ピン１２ｂが直管状蛍光灯のソケットに装着可能な形状になっている。
【００２３】
次に、機能部２０について説明する。
機能部２０は、照明部１０を介して供給される電源の接続部分となる不図示のコネクタを有し、照明部１０を介して電源が供給されるようになっている。
この機能部２０は、図７に示すように、カメラ機能、およびそれに関連した機能を実行させる制御回路が形成された第一回路基板２１および第二回路基板２２と、第二回路基板２２を含むカメラモジュール２３と、を有する。
【００２４】
第一回路基板２１は、照明部１０を介して供給される電源の接続部分となる不図示のコネクタを有し、マイクロＳＤ等のメモリカードを記憶媒体とする記憶部としての不図示のカードスロット、無線通信部としての不図示の通信モジュール、複数のパイロットランプ２１ａ、および、カメラモジュール２３と接続されるコネクタ２１ｂが実装されている。
【００２５】
カードスロットは、メモリカードを記憶媒体として、カメラモジュール２３によって撮像された動画、あるいは、静止画を記憶するものである。
このカードスロットは、例えば、第一回路基板２１の照明部１０側の端部に配置されている
なお、この実施例のＬＥＤ照明装置１は、通常時には、撮像情報をメモリカードに記憶し、必要時には、無線通信経由で直接的に撮像情報のライブデータを抽出することができるようになっている。
【００２６】
通信モジュールは、例えば、ＬＴＥ（登録商標）を通信方式として用いたものを用いている。
この通信モジュールは、筐体部４０に配置されたアンテナに接続されている。
なお、この実施例では、アンテナ２４は、いわゆるフィルムアンテナを用いており、筐体部４０の内壁面に貼り付けることができるようになっている。
このような通信モジュールは、筐体部４０に配置されたアンテナ２４によって無線信号の送受信がされるようになっている。
【００２７】
なお、この実施例のＬＥＤ照明装置１は、通信モジュールが、ＬＴＥを通信方式とするものを例示したが、これに限らず、無線通信を可能にするものであればその他の通信方式を用いても構わない。例えば、ＷｉＦｉ（登録商標）を通信方式とした通信モジュールを用いてもよい。あるいは、ＬＴＥおよびＷｉＦｉの両通信の機能制限および切替機能を備えて、ＬＴＥおよびＷｉＦｉの両通信の通信方式を切り替え可能な通信モジュールを用いても構わない。
【００２８】
複数のパイロットランプ２１ａは、機能部２０の各種実行状態を筐体部４０の外部に表示するものである。
この実施例では、第一回路基板２１に、電源、通信、録画、その他の実行状態を表示する４つのパイロットランプ２１ａが実装されている。
【００２９】
第二回路基板２２は、カメラのレンズ２３ａ、および、不図示のＣＭＯＳイメージセンサ等が配置されることによってカメラモジュール２３を構成している。
なお、第一回路基板２１と第二回路基板２２とは、第二回路基板２２から引き出されたフィルムハーネス２２ａを介してコネクタ接続されるようになっている。
【００３０】
次に、回動ガイド部３０について説明する。
回動ガイド部３０は、アルミニウム等の金属材からなり、図２および図３に示すように、一端側に直管状カバー部１１の他端部を内部に嵌め込み固定する部分となる一端側筒状固定部３１と、他端側に直管状蛍光灯の他方のソケットに接続される第二口金部１３を内部に嵌め込み固定する部分となる他端側筒状固定部３２と、一端側筒状固定部３１と他端側筒状固定部３２との間を連接する中間連接部３３と、有する。
【００３１】
一端側筒状固定部３１は、直管状カバー部１１の端部に嵌め合うように、筒内径が直管状カバー部１１の外径より僅かに大きく設定されており、直管状カバー部１１の端部を筒内に嵌め込んだ状態で固定できるようになっている。
なお、一端側筒状固定部３１と直管状カバー部１１の端部とは、例えば、接着材によって完全に固定される。
【００３２】
他端側筒状固定部３２は、第二口金部１３の後述する筒状部１３ａの端部に嵌め合うように、筒内径が第二口金部１３の筒状部１３ａの外径より僅かに大きく設定されており、筒状部１３ａの端部を筒内に嵌め込んだ状態で固定できるようになっている。
なお、第二口金部１３は、他端側筒状固定部３２に固定される部分となる筒状部１３ａと、ピン１３ｂと、を有し、ピン１３ｂが直管状蛍光灯のソケットに装着可能な形状になっている。
また、他端側筒状固定部３２と第二口金部１３の端部とは、例えば、接着材によって完全に固定される。
【００３３】
中間連接部３３は、一端側筒状固定部３１と他端側筒状固定部３２との間を天井側領域を残すように円筒の一部に切欠き部３３ａを形成した円弧状の横断面をなして連接する部分である。
【００３４】
このような回動ガイド部３０は、一端側に直管状カバー部１１の端部が固定され、他端側に第二口金部１３の端部が固定されることによって、第一口金部１２から第二口金部１３まで略一体型の直管状に構成されているので、剛性を有して直管状蛍光灯の両ソケットの間に支持固定されるようになっている。
【００３５】
また、回動ガイド部３０は、内面に、一端側筒状固定部３１から間の中間連接部３３を通して他端側筒状固定部３２まで連続した直線状に突設された補強リブ３０ａを有する。
【００３６】
補強リブ３０ａは、回動ガイド部３０の周方向に間隔を空けた５箇所に設けられており、かつ、筐体部４０の固定用のネジＳ１、Ｓ２に対応したネジ穴Ｈ１−Ｈ１０が中間連接部３３の外周面側から繋がるように形成されている。
補強リブ３０ａは、図２（ｂ）に示すように、天井側の頂点部に設けられた１つの補強リブ３０ａを基準として左右両周りに４５度づつ変化させた５箇所に設けられている。
【００３７】
このような補強リブ３０ａは、切欠き部３３ａが設けられた回動ガイド部３０の剛性を高めるとともに、一端面が直管状カバー部１１の端部の突き当て面となり、他端面が第二口金部１３の突き当て部分になっている。
すなわち、補強リブ３０ａは、直管状カバー部１１の端部を一端側筒状固定部３１の筒内に嵌め込む際の直管状カバー部１１の位置決め機能をなし、かつ、第二口金部１３の端部を他端側筒状固定部３２の筒内に嵌め込む際の、第二口金部１３の位置決め機能をなしている。
【００３８】
また、補強リブ３０ａは、筐体部４０をネジＳ１、Ｓ２によってネジ止め固定する際のネジ穴Ｈ１−Ｈ１０の深さ方向の厚みを確保する部分としての機能をなしている。
このような補強リブ３０ａを複数有する回動ガイド部３０は、剛性の確保、および、ネジ穴Ｈ１−Ｈ１０の深さ方向の厚みの確保のために全体の厚さを大きくするのでなく、補強リブ３０ａによって部分的に厚みを大きくすることによって、軽量化することができるようになっている。
【００３９】
なお、この実施例では、中間連接部３３の円弧状の横断面部分に連接されない切欠き部３３ａによって切りかかれた領域に対応した一端側筒状固定部および他端側筒状固定部の筒内面領域についても、一端側筒状固定部３１および他端側筒状固定部３２の全周方向での突き当て部分を確保するために、突き当て部分としての機能のみをなすリブ３１ａ、３２ａが設けられている。
【００４０】
次に、筐体部４０について説明する。
筐体部４０は、回動ガイド部３０の天井側領域の外周面に沿う円弧状断面部４１ａを有し、回動ガイド部３０に対して所定の回動位置で回動ガイド部３０の外周面に取り付け固定される回動支持部４１と、回動支持部４１と連結固定可能に中間連接部３３の内面側に切欠き部３３ａを含む機能部２０の収容空間を回動ガイド部３０の軸中心から径外方向にさらに拡大させた収容空間拡大形成部４２と、を有する。
【００４１】
回動支持部４１は、アルミニウム等の金属薄板材からなり、収容空間拡大形成部４２との連結固定完了状態では、収容空間拡大形成部４２の両側壁４３ａ、４３ａの外面を覆うように円弧状断面部の両端が延在している。
【００４２】
この回動支持部４１は、収容空間拡大形成部４２に連結固定される前の状態では、図６に示すように、両端部の間隔をやや拡げたＵ字状に屈曲された形状になっており、収容空間拡大形成部４２の両側壁４３ａ、４３ａの外表面に重ねた状態でネジ止め固定されることによって収容空間拡大形成部４２に連結固定されるようになっている。
【００４３】
このような回動支持部４１は、収容空間拡大形成部４２との連結固定完了状態では、図１および図４に示すように、回動ガイド部３０の天井側領域の外周面に沿う円弧状断面部４１ａと、円弧状断面部４１ａから略直線状に端部まで延びて収容空間拡大形成部４２の両側壁４３ａ、４３ａを覆うように連結固定される部分となる一対の側壁面カバー用延在部４１ｂ、４１ｂと、を有する。
【００４４】
円弧状断面部４１ａは、回動支持部４１と収容空間拡大形成部４２とが連結固定完了された状態で断面視すると、収容空間拡大形成部４２の壁縁面と合わせて回動ガイド部３０の軸を中心とする一つの円を形成するようになっている。
すなわち、円弧状断面部４１ａは、筐体部４０が回動ガイド部３０の軸を中心として回動可能に支持されるように回動ガイド部３０の外周面に沿う部分になっている。
【００４５】
また、円弧状断面部４１ａは、回動ガイド部３０への固定用のネジＳ１、Ｓ２を挿通するためのネジ挿通孔４１ａａが形成されおり、回動ガイド部３０のネジ穴Ｈ１−Ｈ１０にネジ止め固定されるようになっている。
【００４６】
一対の側壁面カバー用延在部４１ｂ、４１ｂは、ネジＳ３−Ｓ１０を挿通するための複数のネジ挿通孔４１ｂｂが形成されおり、収容空間拡大形成部４２の両側壁４３ａ、４３ａにネジ止め固定されるようになっている。
【００４７】
また、一対の側壁面カバー用延在部４１ｂ、４１ｂは、電波を通すための電波通過用開口部４１ｃが形成されている。
電波通過用開口部４１ｃは、収容空間拡大形成部４２の側壁４３ａ、４３ａに配置されたアンテナ２４に対応して形成された矩形状の開口である。
【００４８】
なお、電波通過用開口部４１ｃは、矩形状に限定されず、アンテナ２４を介した電波の送受信が金属製の回動支持部４１によって妨げられないように形成された開口であればその他の形状であっても構わない。
このような電波通過用開口部４１ｃは、筐体部４０の最外面、すなわち、意匠面に形成されるものであるため、デザイン性を考慮した形状にするとよい。
【００４９】
収容空間拡大形成部４２は、機能部２０による外部情報検出側の面以外の面を絶縁脂材からなる壁で形成されている。
より具体的には、収容空間拡大形成部４２は、図７に示すように、両側壁４３ａ、４３ａ、前壁４３ｂ、および後壁４３ｃを有して絶縁樹脂材からなる枠状壁部分を形成する樹脂製壁部４３と、樹脂製壁部４３とは別体の光透過性部材からなり、機能部２０による外部情報検出側の面となる底面の壁を形成する光透過性壁部４４と、を有する。
【００５０】
樹脂製壁部４３は、縦割りで２分離されるようになっており、２分割された一方の側の樹脂製壁部４３には、図８に示すように、機能部２０の第一回路基板２１を固定するための固定部４５が設けられている。
固定部４５は、第一回路基板２１の両端部のそれぞれを固定するため、各端部に対応して一対設けられている。
各固定部４５は、第一回路基板２１の端部の一辺の略全長に沿って第一回路基板２１を挟持するようになっている。
このため、各固定部４５は、筐体部４０が回動される際、第一回路基板２１が回動ガイド部３０の切り欠き部３３ａの縁に接触されて破損されることを防ぐためのストッパーの機能をなしている。
なお、このような固定部４５は、第二回路基板２２についても一部を利用して所定位置に固定するようになっている。
【００５１】
また、樹脂製壁部４３は、側壁４３ａの内面が凹状に形成されることによって薄肉部分として形成された薄肉部４３ａａを有し、図４に示すように、この薄肉部４３ａａの内面にアンテナ２４が配置されるようになっている。
なお、この実施例では、通信モジュールが、上述したようにＬＴＥを通信方式として用いたＬＴＥモジュールであるので、２つのアンテナ２４を必要とし、各アンテナ２４が各側壁４３ａに配置されている。
このようにアンテナ２４が薄肉部４３ａａに配置されることによって、樹脂製壁部４３を通した電波の透過性を高めることができるようになっている。
【００５２】
光透過性壁部４４は、板状のガラス材であり、樹脂製壁部４３の底面側に設けられた溝部４６に嵌め込まれることによって、収容空間拡大形成部４２の底面を塞ぐ壁として固定されるようになっている。
このように、筐体部４０は、機能部２０による外部情報検出側の面となる底面の壁が板状のガラス材で構成されることによって、光が透過されるようになっている。このため、筐体部４０は、カメラモジュール２３の外部情報検出部分となるレンズ２３ａを筐体部４０の外部に露出するための開口を形成する必要がない。
【００５３】
また、外部情報検出側の面となる底面の壁を形成する光透過性壁部４４が、樹脂製壁部４３とは別体で設けられることによって、筐体部４０内にカメラモジュール２３とは異なる種類の機能をなすモジュールを付け替える必要が生じた場合にも、光透過性壁部４４のみ新たな仕様に交換する、または、光透過性壁部４４のみ加工を施すことによって仕様変更に容易に対応することができるようになっている。
【００５４】
なお、この実施例では、光透過性壁部４４が、板状のガラス材であるものを例示したが、光透過性壁部４４は、光透過性の板状部材であれば、ポリカーボネート等のその他の材質からなるものであっても構わない。
【００５５】
以上の説明のように構成されるＬＥＤ照明装置１は、ネジＳ１、Ｓ２を筐体部４０の回動支持部４１に形成されたネジ挿通孔４１ａａに通しつつ、回動ガイド部３０の周方向に間隔を空けた５箇所の補強リブ３０ａに対応して形成されたネジ穴Ｈ１−Ｈ１０に選択的に固定することによって、図９に示すように、回動ガイド部３０の軸を中心として回動させた５つの角度に変化させて筐体部４０を回動ガイド部３０に固定することができるようになっている。
【００５６】
また、ＬＥＤ照明装置１は、金属薄板材からなる回動支持部４１が収容空間拡大形成部４２の大部分の外表面を覆うようになっているので、筐体部４０の不燃性を高めることができるようになっている。
【００５７】
さらに、ＬＥＤ照明装置１は、絶縁樹脂材に比して薄厚であっても剛性を保つことができる金属薄板材からなる回動支持部４１が回動ガイド部３０の天井側領域の外周面に沿うことによって筐体部４０を回動ガイド部３０の軸を中心として回動可能に支持されるようになっているので、天井側領域に寸法が拡大することを抑えることができるようになっている。
【００５８】
次に、ＬＥＤ照明装置１の組み立て手順について説明する。
まず、作業者は、２分割された樹脂製壁部４３の一方の樹脂製壁部４３Ａに第一回路基板２１を固定する。
この作業では、作業者は、一方の樹脂製壁部４３Ａ内に設けられた固定部４５によって第一回路基板２１を固定する。
なお、作業者は、カメラモジュール２３の一部である第二回路基板２２についても固定部４５によって一方の樹脂製壁部４３内の所定の位置に固定する。
【００５９】
次に、作業者は、２分割された樹脂製壁部４３を互いの連結面を重ね合わせることによって１つに合体させる。
この作業では、作業者は、光透過性壁部４４を２つの樹脂製壁部４３Ａ、４３Ｂの各溝部４６に嵌め込みつつ、２つの樹脂製壁部４３Ａ、４３Ｂによって光透過性壁部４４を挟み込む。
これによって、光透過性壁部４４が底壁として所定位置に固定されるとともに、２分割された樹脂製壁部４３Ａ、４３Ｂが、各樹脂製壁部４３Ａ、４３Ｂのそれぞれの溝部４６に嵌め込まれた光透過性壁部４４を介して固定される。
このようにして、内部に機能部２０を固定した状態の収容空間拡大形成部４２が組み付け完了される。
【００６０】
次に、作業者は、収容空間拡大形成部４２を、回動ガイド部３０の切欠き部３３ａに嵌め込む。
この作業では、作業者は、光透過性壁部４４に対向する開口面を切欠き部３３ａに向けた姿勢で収容空間拡大形成部４２を切欠き部３３ａに嵌め込む。
【００６１】
次に、作業者は、回動支持部４１を収容空間拡大形成部４２に連結固定する。
この作業では、作業者は、両端部の間隔をやや拡げてＵ字状に屈曲された回動支持部４１を、円弧状断面部４１ａを回動ガイド部３０の天井側領域の外周面に重ね、かつ、一対の側壁面カバー用延在部４１ｂを、収容空間拡大形成部４２の両側壁４３ａ、４３ａの外表面に重ねた状態でネジ止め固定する。
なお、収容空間拡大形成部４２の一方の側壁４３ａに側壁面カバー用延在部４１ｂを固定するネジＳ３−Ｓ６は、２分割された樹脂製壁部４３Ａ，４３Ｂを固定するためのネジとしても機能している。
すなわち、光透過性壁部４４を介して仮固定状態で合体されていた２つの樹脂製壁部４３Ａ，４３Ｂは、回動支持部４１が連結固定されることによって完全に固定される。
【００６２】
このようにして内部に機能部２０を固定した状態の筐体部４０が組み付け完了されることによって、一端側の第一口金部１２から間に回動ガイド部３０を通して他端側の第二口金部１３まで略直管状、かつ、一体的に構成された部分に筐体部４０が回動ガイド部３０の軸を中心として回動角度を調整できる状態で配置される。
【００６３】
最後に、作業者は、ネジＳ１、Ｓ２を筐体部４０の回動支持部４１に形成されたネジ挿通孔４１ａａ、４１ａａに通しつつ回動ガイド部３０の周方向に間隔を空けて５箇所に設けられたネジ穴Ｈ１−Ｈ１０のなかから、所望の回動角度に対応したネジ穴を選択してネジ止め固定することによってＬＥＤ照明装置１の組み立て作業を完了する。
【００６４】
本発明の実施例に係るＬＥＤ照明装置１は、筐体部４０が回動ガイド部３０の天井側領域の外周面に回動ガイド部３０に対して円弧状断面部４１ａを支持部分として所定の回動位置で取り付け固定できるようになっている。
また、本発明の実施例に係るＬＥＤ照明装置１は、筐体部４０が、回動支持部４１が回動ガイド部３０の天井側領域の外周面に沿うことによって、回動ガイド部３０の軸を中心として回動可能に支持され、中間連接部３３の内面側に切欠き部３３ａを含む機能部２０の収容空間を回動ガイド部３０の軸中心から径外方向にさらに拡大させるようになっているので、天井側領域に寸法が拡大することを抑えることができるようになっている。
従いまして、本発明の実施例に係るＬＥＤ照明装置１は、照明部１０に対して回動可能な筐体部４０を照明部１０に容易に着脱することができ、かつ、筐体部４０の機能部２０を収容するための収容空間を確保し易くすることができる。
【００６５】
また、本発明の実施例に係るＬＥＤ照明装置１は、筐体部４０が、回動支持部４１と収容空間拡大形成部４２とが連結固定される構成であり、回動支持部４１が、金属薄板材からなり、収容空間拡大形成部４２との連結固定完了状態では、収容空間拡大形成部４２の両側壁４３ａ、４３ａの外面を覆うように円弧状断面部４１ａの両端が延在しており、側壁４３ａの内面に配置されるアンテナ２４に対応した位置に電波を通し易くするための電波通過用開口部４１ｃが形成されているので、筐体部４０の外表面を金属薄板材で覆うことによって耐火性を高め、かつ、電波通過用開口部４１ｃによって電波を通し易くすることができる。
さらに、本発明の実施例に係るＬＥＤ照明装置１は、回動ガイド部３０の天井側領域の外周面に沿う円弧状断面部４１ａが金属薄板材であるため、天井側領域への寸法拡大を金属薄板材の厚み分のみに抑えることができ、しかも、円弧状断面部４１ａの回動支持部分としても強度も十分確保することができる。
【００６６】
また、本発明の実施例に係るＬＥＤ照明装置１は、回動ガイド部３０が、内面に一端側筒状固定部３１から間の中間連接部３３を通した他端側筒状固定部３２まで直線状に設けられ、かつ、一端面が直管状カバー部１１の端部の突き当て面となり、他端面が第二口金部１３の突き当て部分となる補強リブ３０ａを有するので、切欠き部３３ａを形成された中間連接部３３の剛性を高めることができる。
また、本発明の実施例に係るＬＥＤ照明装置１は、補強リブ３０ａが直管状カバー部１１を一端側筒状固定部３１の筒内に嵌め込む際の位置決め機能をなし、第二口金部１３の端部を他端側筒状固定部３２の筒内に嵌め込む際の位置決め機能をなしているので、組み付け性を良くすることができる。
【００６７】
また、本発明の実施例に係るＬＥＤ照明装置１は、筐体部４０が、円弧状断面部４１ａにネジＳ１、Ｓ２を挿通するためのネジ挿通孔４１ａａ、４１ａａが形成されおり、補強リブ３０ａが、回動ガイド部３０の周方向に間隔を空けて複数箇所に設けられており、かつ、ネジＳ１、Ｓ２に対応したネジ穴Ｈ１、Ｈ２が中間連接部３３の外周面側から形成されており、筐体部４０が、ネジＳ１、Ｓ２をネジ挿通孔４１ａａ、４１ａａに通しつつネジ穴Ｈ１、Ｈ２に固定することによって、回動ガイド部３０の軸を中心とて回動させた複数の角度に変化させて回動ガイド部３０に固定することができるので、補強リブ３０ａを筐体部４０を回動ガイド部３０にネジ止め固定するためのネジ穴の深さ方向の厚みを確保する部分として効果的に利用することができる。
【００６８】
また、本発明の実施例に係るＬＥＤ照明装置１は、筐体部４０が、機能部２０による外部情報の検出側の面に別体のガラス材からなる光透過性壁部４４を有するので、筐体部４０が、内部に収容される機能部２０がガラス材を通して外部情報を検出することができるものである場合、光が透過されるため、カメラモジュール２３のレンズ２３ａ等の検出部分を筐体部４０の外部に露出するための開口を形成する必要がない。
また、本発明の実施例に係るＬＥＤ照明装置１は、外部情報検出側の面となる底面の壁を形成する光透過性壁部４４が、樹脂製壁部４３とは別体で設けられることによって、筐体部４０内にカメラモジュール２３とは異なる種類の機能をなすモジュールを付け替える必要が生じた場合にも、光透過性壁部４４のみ新たな仕様に交換する、または、光透過性壁部４４のみ加工を施すことによって仕様変更に容易に対応することができるようになっている。
（変形例）
【００６９】
次に、図１０を用いて本発明の実施例に係るＬＥＤ照明装置１の筐体部の変形例について説明する。
図１０は、変形例の筐体部を説明するための図であり、筐体部を簡略的に示した斜視図である。
【００７０】
変形例の筐体部５０は、回動支持部５１と収容空間拡大形成部５２とが絶縁樹脂材で一体的に設けられている点で、実施例のＬＥＤ照明装置１の筐体部４０と異なる。
なお、その他の構成は実施例と同様であり、実施例と同一構成部分には同一符号を付し、その説明を省略する。
【００７１】
この変形例の筐体部５０を適用した場合、実施例の筐体部４０に比して部品点数を削減することができるので、コストおよび組立て作業の手間を削減することができる。
【００７２】
なお、この変形例では、筐体部５０が外部情報の検出側の面に、実施例の筐体部４０と同様に別体のガラス材からなる光透過性壁部４４を有するものを例示したが、外部情報の検出側の面について絶縁樹脂材で一体的に設けられるようにしても構わない
また、外部情報の検出側の面について絶縁樹脂材で一体的に設けた場合、カメラ等の検出部分が外部に露出されるための開口を設けるようにする。
【００７３】
なお、本発明の実施例に係るＬＥＤ照明装置１は、第一回路基板２１にカメラモジュール２３の接続用のコネクタ２１ｂを１つ設けるものを例示したが、第一回路基板２１にはカメラモジュール２３以外の機能を有するモジュール、例えば、温度検知機能を有するモジュール、放射能を検知するモジュール、オゾン生成機能を有するモジュールを接続することができる複数のコネクタを並設して、変化する市場の要求に応じた機能のモジュールを容易に付け替えることができるようにしてもよい。
【００７４】
また、本発明の実施例に係るＬＥＤ照明装置１は、筐体部４０を回動ガイド部３０の軸を中心として４５度ずつ角度を変化させた５箇所の位置で回動ガイド部３０に固定することができるものを例示したが、筐体部４０の固定箇所はこれに限らず、回動ガイド部３０の軸を中心として角度を変化させた位置であればその他の位置に固定するようにしても構わない。
【００７５】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００７６】
１          ＬＥＤ照明装置
１０        照明部
１１        直管状カバー部
１２        第一口金部
１２ａ      筒状部
１２ｂ      ピン
１３        第二口金部
１３ａ      筒状部
１３ｂ      ピン
２０        機能部
２１        第一回路基板
２１ａ      パイロットランプ
２１ｂ      コネクタ
２２        第二回路基板
２２ａ      フィルムハーネス
２３        カメラモジュール
２３ａ      レンズ
２４        アンテナ
３０        回動ガイド部
３０ａ      補強リブ
３１        一端側筒状固定部
３１ａ      リブ
３２        他端側筒状固定部
３２ａ      リブ
３３        中間連接部
３３ａ      切欠き部
４０、５０      筐体部
４１、５１  回動支持部
４１ａ      円弧状断面部
４１ａａ    ネジ挿通孔
４１ｂ      側壁面カバー用延在部
４１ｂｂ    ネジ挿通孔
４１ｃ      電波通過用開口部
４２、５２  収容空間拡大形成部
４３、４３Ａ、４３Ｂ  樹脂製壁部
４３ａ      側壁
４３ａａ    薄肉部
４３ｂ      前壁
４３ｃ      後壁
４４        光透過性壁部
４５        固定部
４６        溝部
Ｓ１−Ｓ１０  ネジ
Ｈ１−Ｈ１０  ネジ穴
【図１】
2020087848.tif 000003
【図２】
2020087848.tif 000004
【図３】
2020087848.tif 000005
【図４】
2020087848.tif 000006
【図５】
2020087848.tif 000007
【図６】
2020087848.tif 000008
【図７】
2020087848.tif 000009
【図８】
2020087848.tif 000010
【図９】
2020087848.tif 000011
【図１０】
2020087848.tif 000012
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
ＬＥＤが内部に配置され、該ＬＥＤの光を外部に出射する光透過性の部分を含む直管状カバー部と、直管状蛍光灯の一方のソケットから電源供給可能に接続されるように前記直管状カバー部の一端部に固定された第一口金部と、を有する照明部と、
前記照明部を介して電源が供給される機能部と、
一端側に前記直管状カバー部の他端部を内部に嵌め込み固定する部分となる一端側筒状固定部と、他端側に直管状蛍光灯の他方のソケットに接続される第二口金部を内部に嵌め込み固定する部分となる他端側筒状固定部と、前記一端側筒状固定部と前記他端側筒状固定部との間を天井側領域を残すように円筒の一部に切欠き部を形成した円弧状の横断面をなして連接する中間連接部と、有する回動ガイド部と、
前記回動ガイド部の天井側領域の外周面に沿う円弧状断面部を有し、前記回動ガイド部に対して前記円弧状断面部を支持部分として所定の回動位置で前記外周面に取り付け固定される回動支持部と、該回動支持部と連結固定可能に、あるいは、一体的に、前記中間連接部の内面側に前記切欠き部を含む前記機能部の収容空間を前記回動ガイド部の軸中心から径外方向にさらに拡大させた収容空間拡大形成部と、を有する筐体部と、
を有することを特徴とするＬＥＤ照明装置。
【請求項２】
前記筐体部は、
前記回動支持部と前記収容空間拡大形成部とが連結固定される構成の場合、前記収容空間拡大形成部が、前記機能部による外部情報検出側の面以外の面を絶縁樹脂材からなる壁で形成され、かつ、絶縁樹脂材からなる両側壁の少なくとも一方の側壁の内面に無線通信用のアンテナが配置されており、
前記回動支持部が、金属薄板材からなり、前記収容空間拡大形成部との連結固定完了状態では、前記収容空間拡大形成部の前記両側壁の外面を覆うように前記円弧状断面部の両端が延在しており、前記アンテナに対応した位置に電波を通し易くするための電波通過用開口部が形成されている
ことを特徴とする請求項１に記載のＬＥＤ照明装置。
【請求項３】
前記回動ガイド部は、
内面に前記一端側筒状固定部から間の前記中間連接部を通した前記他端側筒状固定部まで直線状に設けられ、かつ、一端面が前記直管状カバー部の端部の突き当て面となり、他端面が前記第二口金部の突き当て部分となる補強リブ
を有することを特徴とする請求項１または２に記載のＬＥＤ照明装置。
【請求項４】
前記筐体部は、
前記円弧状断面部にネジを挿通するためのネジ挿通孔が形成されおり、
前記補強リブは、
前記回動ガイド部の周方向に間隔を空けて複数箇所に設けられており、かつ、前記ネジに対応したネジ穴が前記中間連接部の外周面側から形成されており、
前記筐体部は、
前記ネジを前記ネジ挿通孔に通しつつ前記ネジ穴に固定することによって、前記回動ガイド部の軸を中心とて回動させた複数の角度に変化させて前記回動ガイド部に固定する
ことを特徴とする請求項３に記載のＬＥＤ照明装置。
【請求項５】
前記筐体部は、
内部に収容される前記機能部が光透過性部材を通して外部情報を検出することができるものである場合、前記機能部による外部情報の検出側の面に別体の光透過性部材からなる光透過性壁部を有する
ことを特徴とする請求項１、２、３、または４に記載のＬＥＤ照明装置。
【手続補正２】
【補正対象書類名】明細書
【補正対象項目名】０００９
【補正方法】変更
【補正の内容】
【０００９】
また、本発明に係るＬＥＤ照明装置は、上記の発明において、前記筐体部が、前記回動支持部と前記収容空間拡大形成部とが連結固定される構成の場合、前記収容空間拡大形成部が、前記機能部による外部情報検出側の面以外の面を絶縁樹脂材からなる壁で形成され、かつ、絶縁樹脂材からなる両側壁の少なくとも一方の側壁の内面に無線通信用のアンテナが配置されており、前記回動支持部が、金属薄板材からなり、前記収容空間拡大形成部との連結固定完了状態では、前記収容空間拡大形成部の前記両側壁の外面を覆うように前記円弧状断面部の両端が延在しており、前記アンテナに対応した位置に電波を通し易くするための電波通過用開口部が形成されていることを特徴とする。
【手続補正３】
【補正対象書類名】明細書
【補正対象項目名】００４９
【補正方法】変更
【補正の内容】
【００４９】
収容空間拡大形成部４２は、機能部２０による外部情報検出側の面以外の面を絶縁樹脂材からなる壁で形成されている。
より具体的には、収容空間拡大形成部４２は、図７に示すように、両側壁４３ａ、４３ａ、前壁４３ｂ、および後壁４３ｃを有して絶縁樹脂材からなる枠状壁部分を形成する樹脂製壁部４３と、樹脂製壁部４３とは別体の光透過性部材からなり、機能部２０による外部情報検出側の面となる底面の壁を形成する光透過性壁部４４と、を有する。